(57)【要約】【課題】簡単な構成で、シートの吸着動作終了と同時に、吸着ダクト内部の負圧を解除することのできるシート給送装置及び画像形成装置を提供する。【解決手段】吸着ダクト３４の吸着開口部３４ａと吸引ファン３６との間に、吸引シャッタ３７を設け、この吸引シャッタ３７と吸着開口部３４ａとの間に吸着ダクト３４の内部と外部を連通する連通開口部１８を形成する。そして、連通開口部１８を開放する開放位置及び連通開口部１８を遮蔽する遮蔽位置に移動可能な遮蔽部材１９を吸引シャッタ３７シャッタに設け、吸引シャッタ３７が遮断位置へ移動する際、遮蔽部材１９を連通開口部１８を遮蔽する遮蔽位置に移動させ、吸引シャッタ３７が連通位置へ移動する際、遮蔽部材１９を連通開口部１８を開放する開放位置に移動させる。【選択図】図２
2012101935.tif 000002
【特許請求の範囲】
【請求項１】
シートを支持する昇降可能なトレイと、前記トレイに支持されたシートの上部部分に向けてエアを吹き付けてシートを浮上させるエア吹き付け部と、浮上させたシートを吸着搬送部に吸着して搬送する吸着搬送機構と、を備えるシート給送装置において、
前記吸着搬送機構は、
吸着搬送部側に吸着開口部が形成された吸着ダクトと、
前記吸着搬送部にシートを吸着させる負圧を前記吸着ダクトの内部に発生させる負圧生成部と、
前記吸着ダクトにおける前記吸着開口部と前記負圧生成部との間に配置され、前記吸着開口部と前記負圧生成部との間を開閉するシャッタと、
前記吸着ダクトにおける前記吸着開口部と前記シャッタとの間の側壁に形成され、吸着ダクト内部と外部を連通する連通開口部と、
前記シャッタと一体に移動可能に設けられ、前記シャッタの前記吸着開口部と前記負圧生成部とを開放する移動に伴って前記連通開口部を遮蔽する遮蔽位置に移動し、前記シャッタの前記吸着開口部と前記負圧生成部との間を閉じる移動に伴って前記連通開口部を開放する開放位置に移動する遮蔽部材と、を備えたことを特徴とするシート給送装置。
【請求項２】
前記吸着搬送部のシート搬送方向下流側に配置され、前記吸着搬送部により搬送されるシートを引き抜くための引き抜き部を備え、
前記引き抜き部にシートが到達した後、前記吸着開口部と前記負圧生成部との間を閉じるように前記シャッタを移動させ、前記遮蔽部材により前記連通開口部を開放することを特徴とする請求項１記載のシート給送装置。
【請求項３】
前記遮蔽部材と前記シャッタとを一体に形成することを特徴とする請求項１又は２記載のシート給送装置。
【請求項４】
画像形成部と、画像形成部にシートを給送する請求項１乃至３のいずれか１項に記載のシート給送装置と、を備えたことを特徴とする画像形成装置。
【発明の詳細な説明】
【技術分野】
【０００１】
本発明は、シート給送装置及び画像形成装置に関し、特にシートにエアを吹き付けてシートを分離して給送するものに関する。
【背景技術】
【０００２】
従来、プリンタ、複写機等の画像形成装置においては、複数のシートが収納されたシート収納部からシートを１枚ずつ給送するシート給送装置を備えている。このようなシート給送装置としては、シート収納部に収納されたシート束の端部にエアを吹き付けてシートを複数枚浮上させ、上方に配された吸着給送ベルトにシートを１枚だけ吸着させて給送するエア給紙方式のものがある（特許文献１参照）。
【０００３】
このエア給紙方式のシート給送装置では、無端形状の吸着搬送ベルトの内側に吸着ダクトを配置し、この吸着ダクト内をファン等により負圧状態にすることで、吸着搬送ベルトに形成されている吸引穴を介してシートを吸引している。そして、吸着した吸着搬送ベルトが回転することによりシートが搬送される。
【０００４】
このエア給紙方式のシート給送装置では、吸着ダクト内に、吸着ダクト内を負圧状態としたり、吸着ダクト内の負圧を解除したりするための吸引シャッタが配置されている。そして、シートを吸着搬送ベルトに吸着させる場合には、吸引シャッタを開放して吸着ダクト内を負圧状態とし、吸着搬送ベルトにシートを吸着させる。また、吸着搬送ベルトにより搬送されているシートの先端が、下流側に配置されている引抜ローラに到達すると、次のシートが吸着搬送ベルトに吸着されるのを防ぐため、吸引シャッタを閉じて負圧を解除すると共に、吸着搬送ベルトの回転を停止する。
【０００５】
しかし、このように吸着搬送ベルトの吸引及び搬送動作を停止した際、シートの後端部は、吸着搬送ベルトの吸着面に吸着された状態となっている場合がある。この場合、吸引シャッタを閉じた状態であっても吸着ダクト内部は、まだ負圧状態であるため、引抜ローラによりシートを搬送する際、搬送方向と逆方向のブレーキ力が吸着搬送ベルトからシートに与えられてしまう。そして、このようなブレーキ力により、引抜ローラと吸着搬送ベルトとの間でシートの引っ張り合いが発生し、シートのジャムや、シートが低剛度の薄紙等の場合には皺を発生させてしまう。
【０００６】
そこで、このようなシートの引っ張り合いを防ぐため、例えば吸着ダクトに、吸着ダクトの内部と外部を連通する開口部と、開口部を開閉する開閉部材を設けたものが提案されている。この構成では、シートの先端が引抜ローラに到達すると、吸引シャッタを閉じると同時に、それまで開閉部材により塞がっていた開口部を開くことにより、吸着ダクトの内部と外部を連通させて吸着ダクト内部の負圧を大気圧に解除する（特許文献２参照）。これにより、上述したシートのジャムやシートに皺を発生させるなどの問題点を解決している。
【先行技術文献】
【特許文献】
【０００７】
【特許文献１】特開平７−１９６１８７号公報
【特許文献２】特開２００８−００１４５８号公報
【発明の概要】
【発明が解決しようとする課題】
【０００８】
しかし、このような構成により吸着ダクト内部の負圧を解除するようにしている従来のシート給送装置及び画像形成装置において、例えば開閉部材をリンク機構により駆動するようにすると、構造が複雑となると共に、部品コストがかかるようになる。また、開閉部材を、吸引シャッタを開閉するためソレノイド等の駆動機構により駆動するようにすると、駆動機構にかかる負荷が増大してしまい、その結果、作動力の大きい駆動機構が必要となりコストの増大を招いてしまう。
【０００９】
そこで、本発明は、このような現状に鑑みてなされたものであり、簡単な構成で、シートの吸着動作終了と同時に、吸着ダクト内部の負圧を解除することのできるシート給送装置及び画像形成装置を提供することを目的とするものである。
【課題を解決するための手段】
【００１０】
本発明は、シートを支持する昇降可能なトレイと、前記トレイに支持されたシートの上部部分に向けてエアを吹き付けてシートを浮上させるエア吹き付け部と、浮上させたシートを吸着搬送部に吸着して搬送する吸着搬送機構と、を備えるシート給送装置において、前記吸着搬送機構は、吸着搬送部側に吸着開口部が形成された吸着ダクトと、前記吸着搬送部にシートを吸着させる負圧を前記吸着ダクトの内部に発生させる負圧生成部と、前記吸着ダクトにおける前記吸着開口部と前記負圧生成部との間に配置され、前記吸着開口部と前記負圧生成部との間を開閉するシャッタと、前記吸着ダクトにおける前記吸着開口部と前記シャッタとの間の側壁に形成され、吸着ダクト内部と外部を連通する連通開口部と、前記シャッタと一体に移動可能に設けられ、前記シャッタの前記吸着開口部と前記負圧生成部とを開放する移動に伴って前記連通開口部を遮蔽する遮蔽位置に移動し、前記シャッタの前記吸着開口部と前記負圧生成部との間を閉じる移動に伴って前記連通開口部を開放する開放位置に移動する遮蔽部材と、を備えたことを特徴とする。
【発明の効果】
【００１１】
本発明のように、吸着ダクトの内部と外部を連通する連通開口部の開閉を行う遮蔽部材をシャッタに設けることにより、簡単な構成で、シートの吸着動作終了と同時に、吸着ダクト内部の負圧を解除することができる。
【図面の簡単な説明】
【００１２】
【図１】本発明の実施の形態に係るシート給送装置を備えた画像形成装置の一例であるプリンタの概略構成を示す図。
【図２】上記シート給送装置の構成を示す図。
【図３】上記シート給送装置に設けられた上部エア吹き付け部の動作を示す第１の図。
【図４】上記シート給送装置に設けられた上部エア吹き付け部の動作を示す第２の図。
【図５】上記シート給送装置の制御ブロック図。
【図６】上記シート給送装置のシート給送動作を説明するフローチャート。
【図７】上記シート給送装置のシート給送動作を説明するタイミングチャート。
【発明を実施するための形態】
【００１３】
以下、本発明の実施の形態について図面を参照しながら詳細に説明する。図１は、本発明の実施の形態に係るシート給送装置を備えた画像形成装置の一例であるプリンタの概略構成を示す図である。
【００１４】
図１において、１００はプリンタ、１０１はプリンタ本体である。このプリンタ本体１０１の上部には自動原稿給送装置１２０により原稿載置台としてのプラテンガラス１２０ａに載置された原稿Ｄを読み取る画像読み取り部１３０が設けられている。また、画像読み取り部１３０の下方には画像形成部１０２と、画像形成部１０２にシートＳを給送するシート給送装置１０３が設けられている。
【００１５】
ここで、画像形成部１０２には、感光ドラム１１２、現像器１１３、レーザスキャナユニット１１１等が設けられている。また、シート給送装置１０３は、ＯＨＴ等のシートＳを収容して装置本体１０１に着脱自在な複数のシート収納庫１１及びシート収納庫１１に収納されたシートＳを送り出すシート給送手段の一例としての給送ベルトである吸着搬送ベルト２２等を備えている。
【００１６】
次に、このような構成のプリンタ１００の画像形成動作について説明する。装置本体１０１に設けられている後述する図５に示すＣＰＵ（制御装置）から画像読取部１３０に画像読取信号が出力されると、画像読取部１３０により画像が読み取られる。この後、レーザスキャナユニット１１１から、この電気信号に対応したレーザ光が感光ドラム１１２上に照射される。このとき感光ドラム１１２は、予め帯電されおり、光が照射されることによって静電潜像が形成され、次いで静電潜像を現像器１１３によって現像することにより、感光ドラム上にトナー像が形成される。
【００１７】
一方、ＣＰＵから給紙信号がシート給送装置１０３に出力されると、シート収納庫１１からシートＳが給送される。この後、給送されたシートＳはレジストローラ１１７により感光ドラム上のトナー画像と同期を取って感光ドラム１１２と転写帯電器１１８とにより構成される転写部に送られる。次に、このように転写部に送られたシートは、トナー像が転写され、この後、定着部１１４に搬送される。さらにこの後、定着部１１４により加熱及び加圧されることにより、シートＳに未定着転写画像が永久定着される。そして、このように画像が定着されたシートは排出ローラ１１６により装置本体１０１から排紙トレイ１１９に排出される。
【００１８】
図２は、シート給送装置１０３の構成を示す図である。シート収納庫１１は複数のシートＳが載置支持される昇降可能なトレイ１２を備えている。また、このシート収納庫１１の上部にはシートを１枚ずつ分離して給送するためのエア給紙方式のシート給送機構（以下、エア給紙機構という）１５０が配置されている。このエア給紙機構１５０は、トレイ１２に積載されたシートＳを吸着搬送する吸着搬送機構１３４と、トレイ上のシート束の上部部分を浮上させて捌くと共に、シートＳを１枚ずつ分離するためのエア吹き付け部１５２とを備えている。
【００１９】
ここで、吸着搬送部１３４は、駆動ローラ４１ａと従動ローラ４１ｂに回転可能に掛け渡される吸着搬送ベルト２２と、シートＳを吸着搬送ベルト２２に吸着させるための負圧を発生する負圧生成部である吸引ファン３６を備えている。また、この無端状の吸着搬送部である吸着搬送ベルト２２の内側には、下面に吸着開口部３４ａが形成されている吸着ダクト３４の端部が挿入されている。なお、図２は、構成を分かり易く説明するために、吸引ダクト３４を上方に延びるように模式的に記載しているが、実際には吸引ダクト３４の端部は図中紙面に垂直な方向に延びている。
【００２０】
また、吸着搬送ベルト２２の吸着面には吸引穴２２ｈが多数形成されており、吸引ダクト３４は、この吸引穴２２ｈ及び吸着搬送ベルト側（吸着搬送部側）の吸着開口部３４ａを介してエアを吸引することにより、シートを吸着するようにしている。なお、吸引ダクト３４の内部には軸３７ａを支点として回転し、吸引ファン３６と吸着開口部３４ａとの間のダクト３４を開閉するための吸引シャッタ３７が設けられている。
【００２１】
また、エア吹き付け部１５２は、トレイ１２に支持されたシートのシート給送方向下流側端に、シート給送方向上流側に向けてエアを吹き付けてシートを浮上させるためのものである。このエア吹き付け部１５２は、シート束の上部部分に対し先端側からエアを吹き付けるための捌きノズル４２５及び分離ノズル４３５と、分離ファン４５０と、各ノズル４２５，４３５に分離ファン４５０からエアを送る分離ダクト４４０を備えている。そして、分離ファン４５０により吸い込まれたエアの一部は分離ダクト４４０を通過して捌きノズル４２５により矢印Ｃ方向に吹き付けられ、トレイ１２上に積載されているシートＳの上部のうち数枚を浮上させる。また、他のエアは分離ノズル４３５により矢印Ｄ方向に吹き付けられ、捌きノズル４２５により浮上したシートを１枚ずつ分離して吸着搬送ベルト２２に吸着させる。
【００２２】
次に、このように構成されたシート給送装置１０３（エア給紙機構１５０）のシート給送動作について説明する。シート給送信号を検知すると、ＣＰＵは、分離ファン４５０を作動させてエアを吸い込む。このエアは分離ダクト４４０を介して捌きノズル４２５、分離ノズル４３５により、それぞれ矢印Ｃ及びＤ方向からシート束に吹き付けられる。これにより、シート束のうちの上位の数枚のシートが浮上する。また、ＣＰＵは吸引ファン３６を作動させ、図中Ｆ方向にエアを吐き出す。この際、吸引シャッタ３７は、図１に示すように、閉じた状態であるため、最上位シートＳａが吸着搬送ベルト２２に吸着されることはない。
【００２３】
次に、シート給送信号を検知してから所定時間が経過し、上位の数枚のシートの浮上が安定したところで、ＣＰＵは、後述する吸着ソレノイドをＯＮし、吸引シャッタ３７を矢印Ｇ方向に回転させる。これにより、吸着搬送ベルト２２に設けられた吸引穴２２ｈ及び吸引ダクト３４の吸着開口部３４ａからエアが吸引されて吸着ダクト３４内が負圧状態になり、吸引力が発生する。そして、この吸着力と、分離ノズル４３５からの分離エアにより最上位シートＳａのみが吸着搬送ベルト２２に吸着される。なお、吸着ダクト３４には、シートが吸着搬送ベルト２２に吸着されたことを検知するための不図示の吸着完了センサが設けられている。
【００２４】
続いて、ＣＰＵは、後述するベルト駆動モータを駆動し、ベルト駆動ローラ４１ａを矢印Ｊ方向に回転させる。これにより、吸着搬送ベルト２２に吸着された状態で最上位シートＳａは矢印Ｋ方向に搬送される。そして、この後、最上位シートＳａは、シート搬送方向下流側に配置され、矢印Ｐ、Ｍ方向に回転する引き抜き部である引抜ローラ４２により引き抜かれて画像形成部に向けて搬送される。なお、この引抜ローラ４２の下流には反射型のフォトセンサであるパスセンサ４３が設けられており、このパスセンサ４３によりＣＰＵはシートＳａの通過をモニタする。
【００２５】
一方、最上位シートＳａが引抜ローラ４２に達すると、吸着ソレノイドをＯＦＦし、吸引シャッタ３７を矢印Ｇ方向と逆方向に回転させ、吸着ダクト３４内の負圧状態を解消する。これにより、吸着搬送ベルト２２へのシートの吸着が解除される。また、ベルト駆動モータの駆動を停止し、吸着搬送ベルト２２の駆動を停止する。
【００２６】
ところで、吸着ダクト３４の吸着開口部３４ａと吸引シャッタ３７との間の側壁には、図３の（ａ）及び（ｂ）に示すように、吸引シャッタ３７を遮蔽した際、吸着ダクト３４の吸着開口部３４ａ側の内部と外部とを連通する連通開口部１８が形成されている。そして、吸引シャッタ３７には、この連通開口部１８を塞ぐための遮蔽部材１９が固定されている。なお、遮蔽部材１９は、吸引シャッタ３７と別部材としても良いが、例えば板金の曲げ加工、合成樹脂の射出成形等で製造された吸引シャッタ３７と一体成形して吸引シャッタ３７の一部としても良い。また、この遮蔽部材１９は、図３の（ｂ）に示すように、吸着ダクト３４の側壁に形成されている連通開口部１８を塞ぐことができるように、吸引シャッタ３７の図中奥側の端部に固定されている。
【００２７】
ここで、吸引シャッタ３７にはリンク部材２４の一端が連結されており、このリンク部材２４の他端にはソレノイド２３のプランジャ２３ａが連結されている。なお、２８は、ソレノイド２３のプランジャ２３ａに一端が係止されたスプリングであり、このスプリング２８により、ソレノイド２３のプランジャ２３ａは吸引シャッタ３７を閉じる方向に付勢される。
【００２８】
これにより、ソレノイド２３をＯＮすると、ソレノイド２３のプランジャ２３ａが引かれてリンク部材２４が回動する。これに伴い、吸引シャッタ３７が遮蔽部材１９と一体に吸着ダクト３４を遮断する、すなわち吸着開口部３４ａと吸引ファン３６との間の連通を遮断する遮断位置から、吸着開口部３４ａと吸引ファン３６との間を連通させる連通位置に移動する。また、ソレノイド２３をＯＦＦすると、スプリング２８によりプランジャ２３ａが引き出されてリンク部材２４が逆方向に回動し、これに伴い連通位置及び遮断位置に移動可能な吸引シャッタ３７が遮蔽部材１９と一体に連通位置から遮断位置に移動する。このように、本実施の形態では、吸引シャッタ３７及び遮蔽部材１９は一つのソレノイド２３により開閉される。
【００２９】
なお、図３は、吸引シャッタ３７が吸着ダクト３４の吸着開口部３４ａと吸引ファン３６との間の連通を遮断した遮断位置にあるときの状態を示している。この状態のとき、連通開口部１８は遮蔽部材１９により閉じられることなく開放された状態となっており、この状態のとき吸着ダクト内部（吸着開口部側内部）と外部とが連通している。このように吸引シャッタ３７が遮断位置にある場合には、吸着ダクト３４内の吸引シャッタ３７と吸着開口部３４ａとの間の領域での負圧の発生を停止させることができる。また、本実施の形態のように、吸引シャッタ３７が遮断位置に回動すると、遮蔽部材１９が連通開口部１８を開放する開放位置に移動するので、吸着ダクト３４内部に残留している負圧を瞬時に解除することができる。
【００３０】
図４は、吸引シャッタ３７が回転して吸着ダクト３４の吸着開口部３４ａと吸引ファン３６との間を連通させる連通位置にあるときの状態を示している。この状態のとき、遮蔽部材１９は連通開口部１８を遮蔽する遮蔽位置に移動するので、このように吸引シャッタ３７が連通位置にある場合には、吸引ファン３６により吸着ダクト３４内を負圧状態に維持することができる。
【００３１】
図５は、本実施の形態に係るシート給送装置１０３の制御ブロック図である。図５において、１５０はシート給送装置１０３を制御する制御部であるＣＰＵであり、ＣＰＵ１５０は、シート給送装置１０３の各駆動回路へと駆動開始指令を出すとともに、搬送されてくるシートを検知する引抜センサ４３からの出力信号を受けている。また、ＣＰＵ１５０は、既述したように吸着ダクト３４に配置され、最上位シートの吸引が完了したことを検知する不図示の吸着完了センサからの出力信号を受けている。
【００３２】
なお、１５４は吸引ファン３６をＯＮ／ＯＦＦする駆動回路であり、１５５は吸着ダクト３４内の吸引シャッタ３７及び遮蔽部材１９を一体に移動させるためのソレノイド２３の駆動回路である。１５６は吸着搬送ベルト２２を駆動するベルト駆動モータ１４０の駆動回路であり、１５７は、引抜ローラ４２を駆動する引抜ローラモータ１４１の駆動回路である。
【００３３】
次に、本実施の形態に係るシート給送装置１０３のシート給送動作を図６に示すフローチャート及び図７に示すタイミングチャートを用いて説明する。シートを給送する場合、まずユーザーがシート収納庫１１を引き出してシートＳをセットする。そして、シート収納庫１１を格納すると、トレイ１２が上昇し、吸着搬送ベルト２１によるシートの吸着搬送が可能となる位置で停止する。
【００３４】
ここで、シートの給送が開始される前の初期状態では、図３に示すように、吸引シャッタ３７は遮断位置にあり、吸引シャッタ上に設置されている遮蔽部材１９は連通開口部１８を開放する開放位置にあるので、吸着ダクト３４内の気圧は大気圧と同じである。
【００３５】
次に、給送開始信号がＣＰＵ１５０に入力されると、ＣＰＵ１５０は吸引ファン３６の駆動回路１５４に制御信号を入力して図７の（ａ）に示すように吸引ファン３６を作動（ＯＮ）させる（Ｓ１）。また、同様に分離ファン４５０を駆動させ、エア捌きを開始する。この後、エア捌きにより複数枚のシートが浮上し、最上位シートＳａの紙面位置が、吸着搬送ベルト２２による吸着が可能な距離となると、ソレノイド２３の駆動回路１５５に制御信号を入力して図７の（ｂ）に示すように吸引ソレノイド３８をＯＮする。
【００３６】
そして、このように吸引ソレノイド３８をＯＮすると、図４に示すように吸引シャッタ３７が連通位置に移動し（開動作）、同時に遮蔽部材１９が連通開口部１８を塞ぐ（閉動作）（Ｓ２）。この結果、吸着ダクト３４内部が負圧状態となり、これにより収納庫１１内に収納されたシートＳのうち、最上位のシートが吸着搬送ベルト２２の吸引穴２２ｈから吸引されて吸着搬送ベルト２２に吸着される。
【００３７】
次に、不図示の吸着完了センサにより最上位シートの吸引が完了したことを検知すると（Ｓ３のＹ）、図７の（ｃ）に示すようにベルト駆動モータ１４０の駆動回路１５６に制御信号を入力してベルト駆動モータ１４０をＯＮする。そして、このようにベルト駆動モータ１４０をＯＮすると、シートが吸着された吸着搬送ベルト２２が駆動を開始し（Ｓ４）、シートを搬送する。また、これと同時に、図７の（ｄ）に示すように引抜ローラモータ１４１の駆動回路１５７に制御信号を入力して引抜ローラモータ１４１をＯＮし、引抜ローラ４２の駆動を開始する（Ｓ５）。この後、引抜ローラ４２にシートが到達したことを判断する引抜センサ４３の出力をモニタする。
【００３８】
次に、図７の（ｅ）に示すようにシート先端が引抜ローラ４２に到達したことを検知して引抜センサ４３がＯＮすると（Ｓ６のＹ）、ソレノイド２３の駆動回路１５５の制御信号を停止し、図７の（ｂ）に示すようにソレノイド２３をＯＦＦする。そして、このようにソレノイド２３をＯＦＦすると、図３に示すように、吸引シャッタ３７が閉動作して遮断位置に移動し、同時に遮蔽部材１９が開動作して連通開口部１８を解放する（Ｓ７）。
【００３９】
これにより、負圧状態であった吸着ダクト３４の吸着開口部３４ａ側の内部と外部とが連通して吸着開口部３４ａ側の内部が大気圧となり、この結果、吸着搬送ベルト２２の吸引力がなくなり、吸着搬送ベルト２２へのシートの吸着が解除される。ここで、本実施の形態のように、吸引シャッタ３７の遮断位置への移動と同時に遮蔽部材１９による連通開口部１８の遮蔽を解除することにより、吸着ダクト３４内部に残留している負圧を瞬時に解除することができる。
【００４０】
次に、ベルト駆動モータ１４０の駆動回路１５６の制御信号を停止して図７の（ｃ）に示すようにベルト駆動モータ１４０の駆動を停止し、吸着搬送ベルト２２の駆動を停止する（Ｓ８）。このとき、負圧による吸引力が生じていないので、このように吸着搬送ベルト２２の駆動を停止すると、シートは吸着搬送ベルト２２から完全に離れるようになり、吸着搬送ベルト２２と引抜ローラ４２との間に発生する速度差による引っ張り合いを生じることがない。この結果、引抜ローラ４２を介して引抜ローラモータ１４１に加わる負荷が小さくなりシートの斜行やジャム、あるいはシートの損傷等を発生させることなく安定した引抜ローラ４２による搬送が可能となる。
【００４１】
そして、図７の（ｅ）に示すように引抜センサ４３がＯＦＦとなり（Ｓ９のＹ）、シートの後端が引抜ローラ４２を通過したことを検知すると、引抜ローラモータ１４１の駆動回路１５７の制御信号を停止する。これにより、図７の（ｄ）に示すように引抜ローラモータ１４１をＯＦＦし、引抜ローラ４２の駆動を停止する（Ｓ１０）。そして、この後、吸引ファン３６の駆動回路１５４の制御信号を停止して図７の（ａ）に示すように吸引ファン３６をＯＦＦし（Ｓ１１）、シートＳの給送を完了させる。
【００４２】
以上説明したように、吸着搬送ベルト２２によるシートの吸着動作終了と同時に、吸引シャッタ３７に設けられた遮蔽部材１９により、連通開口部１８の開放を行うようにしている。これにより、ダクト内部の負圧状態をできる限り早く解除することができ、吸着搬送ベルト２２と下流側の引抜ローラ４２とのシートの引っ張り合いによる遅延ジャムの発生、シートが低剛度の薄紙等の場合の皺の発生及び生産性の低下を防止できる。
【００４３】
さらに、連通開口部１８の開閉を行う遮蔽部材１９を吸引シャッタ３７に設けることにより、簡単な構成でシートのジャムの発生を防ぐことができる。これにより、部品点数を減らすことができ、コストを削減できるだけでなく、吸引シャッタ３７の開閉手段（ソレノイド等）の大型化によるコスト増大も防止することができる。
【符号の説明】
【００４４】
１２…トレイ、１８…連通開口部、１９…遮蔽部材、２２…吸着搬送ベルト、３４…吸着ダクト、３４ａ…吸着開口部、３６…吸引ファン、３７…吸引シャッタ、３８…吸引ソレノイド、４２…引抜ローラ、１００…プリンタ、１０１…プリンタ本体、１０２…画像形成部、１３４…吸着搬送機構、１５０…シート給送機構、１５２…エア吹き付け部、Ｓ…シート
【図１】
2012101935.tif 000003
【図２】
2012101935.tif 000004
【図３】
2012101935.tif 000005
【図４】
2012101935.tif 000006
【図５】
2012101935.tif 000007
【図６】
2012101935.tif 000008
【図７】
2012101935.tif 000009